(57)【要約】      （修正有）【課題】異なる大きさの種に適用でき、かつ、排出口近傍で種が一列に並ぶように形成され、構造を簡易にした種蒔き器を提供する。【解決手段】種蒔き器Ｘとして、回転軸周りの同一の円軌道上に少なくとも上端開口が存するように配置された、当該回転軸の長手方向に延びる、少なくとも下方側の内径が異なる２以上の細長い通路４１であって、下端側の一定範囲における内径は等しくなるよう形成された通路５１を有する、回転軸周りに回転可能な選択部と、選択部の上方に設けられる、下部に円軌道上に導かれる穴が形成された容器からなる種収容容器１０と、選択部を構成する通路であって、種収容容器の穴１１に上端が合致する通路の下方を塞ぐ、使用者の操作によって開閉可能な蓋６１とを設ける。【選択図】図２
0003184296.tif 000002
【実用新案登録請求の範囲】
【請求項１】
回転軸周りの同一の円軌道上に少なくとも上端開口が存するように配置された、当該回転軸の長手方向に延びる、少なくとも下方側の内径が異なる２以上の細長い通路であって下端側の一定範囲における内径は等しくなるよう形成された通路を有する、前記回転軸周りに回転可能な選択部と、
前記選択部の上方に設けられる、下部に前記円軌道上に導かれる穴が形成された容器からなる種収容容器と、
前記選択部を構成する通路であって、前記種収容容器の前記穴に上端が合致する通路の下方を塞ぐ、使用者の操作によって開閉可能な蓋と
を有する種蒔き器。
【請求項２】
前記選択部を構成するそれぞれの通路は上端開口の内径が各通路ともに同じであり、下端側の内径が上端開口の内径より小さい通路は下方に向かって内径が徐々に小さくなるように構成されるものである請求項１に記載の種蒔き器。
【請求項３】
全体が細長い円筒状に形成され、前記蓋は最上部に設けられるボタンに連動して開くものである請求項１又は２に記載の種蒔き器。
【考案の詳細な説明】
【技術分野】
【０００１】
本考案は種を収容して所定量ずつ種を排出することで種を蒔く器具に関する。
【背景技術】
【０００２】
種蒔きは、多くの場合、指で種を掴んで蒔くことが多いが、小さい種は指で掴みにくく、取り損なったり、多く掴みすぎたりすることがある。
これに対して、下記特許文献１〜３には、種を容器に入れて、レバーなどを操作することで蓋が開いて種が落下するように構成された種蒔き器が示されている。このような種蒔き器を用いると種を指で掴んで蒔く作業を必要としなくなり、作業を確実かつ簡易に行うことができる。
ところで、種は植物の種類に応じて大きさが異なるために、一つの種蒔き器で複数種類の種を蒔けるようにするには、大きさによって一粒ずつ種を選別する機能が必要となる。下記特許文献１〜３に記載の考案では、種の大きさに合わせた内径を有するアダプタを交換したり、異なる大きさの穴が並んで空いた板をスライドすることで種の通る穴の大きさを変えたりすることが示されている。
しかしながら、これらの種蒔き器は一粒ずつ種を選別するので種の排出口部分に複数の種が乱雑に固まるので点まきはできるが、すじまきには適さない。
これに対して下記特許文献４に記載には種が通る通路の内径を調節することで種を選別する考案が示されている。この考案では排出口前の通路に種が一列に並ぶのですじまきも適切に行うことができる。
【先行技術文献】
【特許文献】
【０００３】
【特許文献１】特許4855543号公報
【特許文献２】特開2004-261097号公報
【特許文献３】実公昭31-18625号公報
【特許文献４】実用新案登録第3177734号公報
【考案の概要】
【考案が解決しようとする課題】
【０００４】
しかし、特許文献４に記載の考案は通路の内径を変化させるために丸めたシートにより通路を形成し、シートの丸め具合によって通路の内径を変化させる構造であるために、内径を決まった値に固定することが難しく、このための構造が複雑になるという問題があった。
本考案は、このような問題に鑑みて、異なる大きさの種に適用でき、かつ、排出口近傍で種が一列に並ぶように形成される種まき器において、構造を簡易にすることを課題とする。
【課題を解決するための手段】
【０００５】
上記課題を解決するために、本考案は次のような構成を有する。
請求項１に記載の考案は、回転軸周りの同一の円軌道上に少なくとも上端開口が存するように配置された、当該回転軸の長手方向に延びる、少なくとも下方側の内径が異なる２以上の細長い通路であって、下端側の一定範囲における内径は等しくなるよう形成された通路を有する、前記回転軸周りに回転可能な選択部と、前記選択部の上方に設けられる、下部に前記円軌道上に導かれる穴が形成された容器からなる種収容容器と、前記選択部を構成する通路であって、前記種収容容器の前記穴に上端が合致する通路の下方を塞ぐ、使用者の操作によって開閉可能な蓋とを有する種蒔き器である。
請求項２に記載の考案は、前記種蒔き器において、前記選択部を構成するそれぞれの通路は、上端開口の内径が各通路ともに同じであり、下端側の内径が上端開口の内径より小さい通路は下方に向かって内径が徐々に小さくなるように構成されるものである。
請求項３に記載の考案は、前記種蒔き器において、全体が細長い円筒状に形成され、前記蓋の最上部に設けられるボタンに連動して開くものである。
【考案の効果】
【０００６】
請求項１に記載の考案は、選択部を回転させて縦収容容器の穴の下方に位置する通路を適宜変更することで大きさの異なる種に対応でき、通路の下端は一定範囲で内径が同じであるので、排出口となる下端位置に種が一列に並び、点まきのみならず、すじまきも適切に行うことができる。そして、種の大きさに応じた通路の選択は円状に配列された通路を選択することによって行うので、選択部は複数の通路を設けた回転部により形成することができ、比較的簡易な構造で実現することができる。
請求項２に記載の考案は、通路の上端の内径がすべての通路で等しいので、種収容容器の穴の大きさをこれに合わせておけばスムーズに種が通路の上端に入るととともに、下端の内径が小さい通路に関して徐々に通路の内径が小さくなるようにすることで種が詰まることを抑制して通路の下端で種が一列に並ぶように導くことができる。
請求項３に記載の考案は、全体を細長い筒状とし、種を落とすための蓋を上端に設けられるボタンを押すことで開くようにすることで、シャープペンシルを持つようにもって、親指でボタンを押すことで種を落とすことができるので、持ちやすく操作がしやすい。
【図面の簡単な説明】
【０００７】
【図１】実施形態に係る種蒔き器Ｘの斜視図である。
【図２】実施形態に係る種蒔き器Ｘの縦断面図である。
【図３】（ａ）は基端側選択部の平面図であり、（ｂ）は基端側選択部の縦断面図であり、（ｃ）は基端側選択部の底面図である。
【図４】（ａ）は先端側選択部の平面図であり、（ｂ）は先端側選択部の縦断面図であり、（ｃ）は先端側選択部の底面図である。
【考案を実施するための形態】
【０００８】
以下、本考案の実施の形態について、図面を参照しながら説明する。
図１に本実施形態に係る種蒔き器Ｘの斜視図を示し、図２に種蒔き器Ｘの縦断面図を示す。種蒔き器Ｘは、種収容容器１０、容器保持筒２０、回転保持筒３０、基端側選択部４０、先端側選択部５０、蓋ユニット６０を有する。
種収容容器１０は円筒体であり、下方が一側面に偏ったロート状に形成され、当該ロート状部分の下端に種が通る穴１１が形成されている。また、種収容容器１０下面の、穴１１に対向する位置に、後述する蓋ユニット６０の一部を構成する移動凸部６５が一体に形成されている。さらに、種収容容器１０の上面は着脱可能なキャップ１２により塞がれている。
【０００９】
容器保持筒２０は種収容容器１０の外径よりやや大きい内径を有する有底の円筒体であり、種収容容器１０を摺動可能に保持する。容器保持筒２０の底面の種収容容器１０の穴１１の真下には穴１１と同径の穴２１が設けられ、穴１１と穴２１とは蛇腹２３により連結されている。また、容器保持筒２０の底面中心にも中心孔２２が設けられている。さらに、容器保持筒２０には後述する蓋ユニット６０の移動桿６２の上端、回動桿６３、支持軸６４が存する。
【００１０】
基端側選択部４０は、ほぼ中央で上方側の外径がやや大きくなるような段差が形成された円柱体である。基端側選択部４０の上方側の外径は種収容容器１０とほぼ同じ外径に形成される。図３（ａ）に基端側選択部４０の平面図を示し、図３（ｂ）に基端側選択部４０の縦断面図を示し、図３（ｃ）に基端側選択部４０の底面図を示す。基端側選択部４０には円柱体の中心軸を通る貫通孔４２が形成されている。貫通孔４２の下端は内フランジ４２ａが形成されている。また、中心軸回りには、断面円形の貫通孔からなる５つの通路４１が中心軸に平行に等間隔に設けられている。図３（ａ）に示すように通路４１は上端開口においては、同じ内径であるが、図３（ｃ）に示すように下端開口においてはそれぞれが異なる大きさの内径に形成される。ここでは下端側の通路４１の内径は、それぞれ６ｍｍ、５ｍｍ、４ｍｍ、３ｍｍ、２ｍｍに設定されている。また、上端側の通路４１の内径はすべて６ｍｍに設定されており、下端内径が６ｍｍより小さな通路は下端に向けて滑らかに内径がすぼまるように形成されている。また、上端開口円の中心はすべて基端側選択部４０を構成する円柱体の中心軸に中心をもつ同一の円周上に存するともに、容器保持筒２０の穴２１の中心も当該円周上方に存するように設定される。さらに、基端側選択部４０の上方側の外径が大きい部分の外周面に通路４１の下端の内径を表す数字４３、具体的には「６」、「５」、「４」、「３」、「２」の数字が等間隔に、通路４１の並びに合致するように描かれている。
【００１１】
回転保持筒３０は、容器保持筒２０とほぼ同じ外径を有し、基端側選択部４０の上方側の外径よりやや大きな内径を有する円筒体であり、容器保持筒２０の下端に固定され、内部に基端側選択部４０を回転可能に保持する。回転保持筒３０の下端内周には基端側選択部４０の上方側の内径よりも小さく、下方側の内径よりも大きい内径の内フランジ３１が設けられることで、基端側選択部４０が下方に抜けないようになっている。回転保持筒３０は内フランジ３１の上面から上端までの長さが、基端側選択部４０の上方側の外径が大きい円柱部分の長さとほぼ等しく形成されることで、基端側選択部４０が上下に動かないようになっている。回転保持筒３０の側面には基端側選択部４０の外周面に描かれている数字が表出する窓３２が設けられている。窓３２の位置は、容器保持筒２０の穴２１の真下に位置する通路４１の下端の内径に合致した数字が窓３２から表出するように設定される。
【００１２】
先端側選択部５０は下端に向かってやや細くなる円柱体であり基端側選択部４０の下端に一体に固定される。図４（ａ）に先端側選択部５０の平面図を示し、図４（ｂ）に先端側選択部５０の縦断面図を示し、図４（ｃ）に先端側選択部５０の底面図を示す。先端側選択部５０には円柱体の中心軸を通る貫通孔５２が形成されている。貫通孔５２は通路４１の上端開口の内径以上の内径に設定される。また、中心軸周りには断面円形の貫通孔からなる５つの通路５１が等間隔に設けられている。各通路５１は基端側選択部４０の通路４１と連通するものであり、それぞれの通路５１は連通する通路４１の下端部分と同じ内径を有する。通路５１の内径は一定に形成され、上端から下方に延び、途中で中心軸側に湾曲して貫通孔４２の内周面下端近傍に抜けるように形成されている。
【００１３】
蓋ユニット６０は、蓋６１、移動桿６２、回動桿６３、支軸６４、移動凸部６５、圧縮バネ６６から構成される。蓋６１は先端側選択部５０の貫通孔５２内を摺動できる大きさの円柱体からなり、通路５１の下端側を塞ぐものである。移動桿６２は、蓋５１の上面から上方に延びるように固定される棒体からなり、先端側選択部５０の貫通孔５２、基端側選択部４０の貫通孔４２、容器保持筒２０の中心孔２２を通って、上端が容器保持筒２０内に至っている。また、移動桿６２の貫通孔４２の下端位置には、蓋６１が通路５２を塞いだ状態において、貫通孔４２の内フランジ４２ａに当接して下方に抜けることがないフランジ６２ａが形成されている。回動桿６３は、移動桿６２の上端において一端が移動桿６２に直行する回転軸回りに回動可能に固定される棒体で、中央やや他端寄りに、一端における回転軸と平行な回転軸が通るリング６２ａが形成されている。支軸６４は回動桿６３のリング６２ａを通り、回転桿６３を回転可能に固定する棒体で、両端は容器保持筒２０の側壁に固定される。移動凸部６５は種収容容器１０の下面に固定される直方体のブロック体であり、回動桿６３の他端が通る穴６５ａが設けられている。穴６５ａは上部が回動桿６３に接し、下方は回動桿６３の回動に応じて他端が動けるように一定の隙間が形成されている。圧縮バネ６６は、蓋６１の上面と基端側選択部４０の下面との間に設けられ蓋６１及び移動桿６２を下方側に押圧している。圧縮バネ６６により通常は蓋６１は下方に押し下げられて通路５１の開口を塞いた状態に保持される。
以上のような構造を有する蓋ユニット６０は、種収容容器１０を下方に押し下げると、移動凸部６５が下方に下がることで回動桿６３の他端が押し下げられ、回動桿６３が回動して回動桿６３の一端側が上がる。すると、回動桿６３の一端側に固定される移動桿６２及び蓋６１も上方に上がって圧縮バネ６６が縮み、蓋６１は通路５１の開口から上方へ移動して通路５１が開くことになる。この状態から種収容容器１０を開放すると、圧縮バネ６６が元の状態に伸びて蓋６１、移動桿６２、回動桿６３の一端側が下がり、蓋６１が閉じるとともに、回動桿６３の他端側が上がって移動凸部６５を押し上げる結果、種収容容器１０は上方に移動して元の位置に戻る。
【００１４】
次に、以上のような構成を有する種蒔き器Ｘの使用方法について説明する。まず、使用者は基端側選択部４０を回して蒔く種の大きさに合致する数字を回転保持筒３０の窓３２から表出させる。この状態で、種収容容器１０のキャップ１２をはずして種を種収容容器１０内から種蒔き器Ｘ内へと入れ、その後キャップ１２を閉じる。入った種は、種収容容器１０から穴１１、蛇腹２３、穴２１を通って、通路４１に至り、通路５１までを満たすこととなる。この際、通路５１は種の大きさにほぼ合致しているので通路５１内では種は一列に並ぶこととなる。この状態で、人差し指から小指で種蒔き器Ｘを持ち、親指を種収容容器１０の上面に掛けて、種を蒔く場所の上方に種蒔き器Ｘを位置づける。そして、親指で蓋６１の操作ボタンとなる種収容容器１０を押し下げると、蓋６１が上方に移動して開き、種は一列に落下することになる。この際、種蒔き器Ｘを水平に移動させるとすじまきを行うことができ、一箇所ずつ間歇的に蓋６１を開くと点まきを行うことができる。
本実施形態に係る種蒔き器Ｘは種を一列に保持する構造を有しながら、異なる内径の複数の通路を回転させることで選択する構造としたので、比較的簡易に製造することができ故障もしにくいという利点を有する。
【００１５】
なお、上記実施形態における通路４１、通路５１の内径の大きさは例示であり、何段階でどのような大きさの内径を選択するかは適宜変更することができる。また、上記実施形態における蓋ユニットは例示であり、使用者の操作により蓋が開く構造であれば種々の構造を採用することができる。例えば、先端側選択部５０の通路５１は真っ直ぐなものとして、移動桿６２が上方に移動することで開くフラップ式の蓋によって、種が溜まる通路の開口を塞ぐような構成とすることもできる。
【符号の説明】
【００１６】
Ｘ  種蒔き器
１０  種収容容器
１１  穴
２０  容器保持筒
２１  穴
２２  中心孔
２３  蛇腹
３０  回転保持筒
４０  基端側選択部
４１  通路
４２  貫通孔
５０  先端側選択部
５１  通路
５２  貫通孔
６０  蓋ユニット
６１  蓋
６２  移動桿
６３  回動桿
６４  支軸
６５  移動凸部
６６  圧縮バネ
【図１】
0003184296.tif 000003
【図２】
0003184296.tif 000004
【図３】
0003184296.tif 000005
【図４】
0003184296.tif 000006